(57)【要約】ＩＭＳネットワーク(110)とセルラネットワーク等の旧式ネットワーク(120)の間でコール機能データを同期させる通信ネットワーク(100)及び方法が開示される。ホームサブスクライバサーバＨＳＳ等のＩＭＳ加入者サーバ(116)はＩＭＳネットワークにおけるコール転送又はコールウェイティング等のコール機能用の機能データの変更を通知される。通知に応じて、ＩＭＳ加入者サーバは機能データの変更に基づいて旧式ネットワークにおけるホームロケーションレジスタＨＬＲ等の旧式加入者サーバ(122)を更新する。同様に、ＩＭＳ加入者サーバは旧式ネットワークにおけるコール機能用の機能データの変更を識別する。変更に応じて、ＩＭＳ加入者サーバはＩＭＳネットワーク内の１以上のアプリケーションサーバ(１１２、１１３又は１１４)に機能データの変更を通知する。ＩＭＳ加入者サーバによってコール機能用の機能データはＩＭＳネットワークと旧式ネットワーク間で同期される。
2010512111.tif 000002
【特許請求の範囲】
【請求項１】
通信ネットワーク（１００）であって、
デュアルモード装置（１３０）が旧式ネットワーク（１２０）を介して通信アクセスを受信するときに該デュアルモード装置（１３０）に提供されている旧式コール機能のための機能データを識別するように適合された旧式ネットワーク（１２０）の旧式加入者サーバ（１２２）、
該デュアルモード装置（１３０）がＩＭＳネットワーク（１１０）を介して通信アクセスを受信するときに、該デュアルモード装置（１３０）にＩＭＳコール機能を提供するように適合されたＩＭＳネットワーク（１１０）のアプリケーションサーバ（１１２、１１３又は１１４）、及び
該ＩＭＳネットワーク（１１０）によって該デュアルモード装置（１３０）に提供されているＩＭＳコール機能のための機能データを記憶するように適合されたＩＭＳ加入者サーバ（１１６）
からなり、該通信ネットワーク（１００）が、
該アプリケーションサーバ（１１２、１１３又は１１４）がさらに、該ＩＭＳコール機能のための機能データへの変更をデュアルモード装置（１３０）のユーザから受信するように適合され、
該アプリケーションサーバ（１１２、１１３又は１１４）がさらに、該ＩＭＳコール機能のための機能データへの該変更を該ＩＭＳ加入者サーバ（１１６）に通知するように適合され、及び
該ＩＭＳ加入者サーバ（１１６）がさらに、該ＩＭＳコール機能のための機能データへの該変更に基づいて旧式加入者サーバ（１２２）内の該旧式コール機能のための機能データを更新して、該旧式コール機能のための機能データを該ＩＭＳコール機能のための機能データに同期させるように適合された
ことを特徴とする通信ネットワーク。
【請求項２】
請求項１の通信ネットワーク（１００）において、
該アプリケーションサーバ（１１２、１１３又は１１４）がさらに、該ＩＭＳコール機能のための機能データへの該変更を示すＤｉａｍｅｔｅｒＳｈインターフェイス用に定義された透明性データブロックをフォーマットするように適合され、
該アプリケーションサーバ（１１２、１１３又は１１４）がさらに、該透明性データブロックを該ＩＭＳ加入者サーバ（１１６）に送信するように適合され、
該ＩＭＳ加入者サーバ（１１６）がさらに、該ＩＭＳコール機能のための機能データへの該変更を識別するために該透明性データブロックを解釈するように適合され、
該ＩＭＳ加入者サーバ（１１６）がさらに、該旧式加入者サーバ（１２２）のための規則に基づいて該機能データへの該変更を承認するように適合され、及び
該ＩＭＳ加入者サーバ（１１６）がさらに、該透明性データブロック内に提供される該ＩＭＳコール機能のための機能データに基づいて該旧式コール機能のための機能データを更新するように適合された通信ネットワーク。
【請求項３】
請求項１の通信ネットワーク（１００）において、
該旧式加入者サーバ（１２２）がさらに、該旧式ネットワーク（１２０）によって該デュアルモード装置（１３０）に提供されている旧式コール機能のための機能データへの変更を受信するように適合され、
該ＩＭＳ加入者サーバ（１１６）がさらに、該旧式加入者サーバ（１２２）における該旧式コール機能のための機能データへの該変更を識別するように適合され、及び
該ＩＭＳ加入者サーバ（１１６）がさらに、該ＩＭＳコール機能のための該機能データを該旧式コール機能のための該機能データに同期させるために該旧式コール機能のための機能データへの該変更を該アプリケーションサーバ（１１２、１１３又は１１４）に通知するように適合された通信ネットワーク。
【請求項４】
請求項３の通信ネットワーク（１００）において、
該アプリケーションサーバ（１１２、１１３又は１１４）がさらに、該機能データへの変更を通知されることをリクエストする契約リクエストを該ＩＭＳ加入者サーバ（１１６）に送信するように適合された通信ネットワーク。
【請求項５】
請求項３の通信ネットワーク（１００）において、
該ＩＭＳ加入者サーバ（１１６）がさらに、該機能データへの該変更を識別することに応じて該機能データへの該変更を示すＤｉａｍｅｔｅｒＳｈインターフェイス用に定義された透明性データブロックをフォーマットするように適合され、
該ＩＭＳ加入者サーバ（１１６）がさらに、該透明性データブロックを該アプリケーションサーバ（１１２、１１３又は１１４）に送信するように適合され、
該アプリケーションサーバ（１１２、１１３又は１１４）がさらに、該透明性データブロックを処理して該旧式コール機能のための機能データへの該変更を識別するように適合され、
該アプリケーションサーバ（１１２、１１３又は１１４）がさらに、該旧式コール機能のための機能データに基づいて該ＩＭＳコール機能のための機能データを更新するように適合された通信ネットワーク。
【請求項６】
通信ネットワークを動作させる方法において、該通信ネットワークが、ＩＭＳコール機能をデュアルモード装置に提供するよう適合されたＩＭＳネットワークを含み、及び旧式コール機能を該デュアルモード装置に提供するように適合された旧式ネットワークを含み、該方法が、
該ＩＭＳネットワークのアプリケーションサーバにおいて、該ＩＭＳコール機能のための機能データへの変更をデュアルモード装置のユーザから受信するステップ、
該アプリケーションサーバによって、該ＩＭＳコール機能のための機能データへの該変更を該ＩＭＳ加入者サーバに通知するステップ、及び
該ＩＭＳ加入者サーバによって、該旧式コール機能のための機能データを該ＩＭＳコール機能のための機能データに同期させるために該ＩＭＳコール機能のための機能データへの該変更に基づいて旧式加入者サーバ内の該旧式コール機能のための機能データを更新するステップ
からなる方法。
【請求項７】
請求項６の方法において、該ＩＭＳ加入者サーバに通知するステップが、  
該アプリケーションサーバにおいて、該ＩＭＳコール機能のための機能データへの該変更を示すＤｉａｍｅｔｅｒＳｈインターフェイス用に定義された透明性データブロックをフォーマットするステップ、及び
該透明性データブロックを該アプリケーションサーバから該ＩＭＳ加入者サーバに送信するステップ
からなる方法。
【請求項８】
請求項７の方法において、該旧式コール機能のための機能データを更新するステップが、
該ＩＭＳ加入者サーバにおいて、該ＩＭＳコール機能のための機能データへの該変更を識別するために該透明性データブロックを解釈するステップ、
該旧式加入者サーバのための規則に基づいて該機能データへの該変更を承認するステップ、及び
該透明性データブロック内に提供される該ＩＭＳコール機能のための機能データに基づいて該旧式コール機能のための機能データを更新するステップ
からなる方法。
【請求項９】
請求項６の方法であって、さらに、
該デュアルモード装置のユーザから該旧式加入者サーバにおける旧式コール機能のための機能データへの変更を受信するステップ、
該ＩＭＳ加入者サーバによって、該旧式加入者サーバにおける旧式コール機能のための機能データへの該変更を識別するステップ、及び
該ＩＭＳコール機能のための該機能データを該旧式コール機能のための該機能データに同期させるために該旧式コール機能のための機能データへの該変更を該アプリケーションサーバに通知するステップ
からなる方法。
【請求項１０】
請求項９の方法において、該アプリケーションサーバに通知するステップがさらに、
該機能データへの該変更を示すＤｉａｍｅｔｅｒＳｈインターフェイス用に定義された透明性データブロックをフォーマットするステップ、
該透明性データブロックを該ＩＭＳ加入者サーバから該アプリケーションサーバに送信するステップ、
該アプリケーションサーバにおいて、該機能データへの該変更を識別するために該透明性データブロックを処理するステップ、及び
該透明性データブロックにおいて提供された該旧式コール機能のための機能データへの該変更に基づいて該ＩＭＳコール機能のための機能データを更新するステップ
からなる方法。
【発明の詳細な説明】
【技術分野】
【０００１】
本発明は通信ネットワークの分野に関し、特に、ＩＭＳネットワークとセルラネットワークのような旧式ネットワークとのコール機能データを同期することに関する。
【背景技術】
【０００２】
無線電話プロバイダは、セルラネットワーク（例えば、ＣＤＭＡ又はＧＳＭ）及びＷｉＦｉネットワーク（例えば、８０２.１１ｂ、８０２.１１ｇ等）のような他のタイプの無線データネットワークと通信するための機能を有するデュアルモードフォンを開発している。デュアルモードフォンの概念は、ユーザにセルラネットワーク又は無線データネットワークいずれかと通信する柔軟性を与えるものである。無線データネットワークは通常、インターネットブラウジング、ｅメール等のようなデータ通信のために使用されるが、ＶｏＩＰコールの形式で音声通信のために使用されることもある。セルラネットワークは通常、音声通信のために使用されるが、データ通信にも適合してきた。
【０００３】
デュアルモードフォンがセルラネットワークの範囲内にあるとき、デュアルモードフォンは通信アクセスを受信するためにセルラネットワークに登録する。ユーザはセルラサービスプロバイダによって提供されるコール転送、コールウェイティング、発呼者ＩＤ等のようなコール機能を契約することができる。ユーザによって契約されるコール機能は通常、セルラネットワークにおけるホームロケーションレジスタ（ＨＬＲ）に格納されるユーザプロファイルに記録される。これらのコール機能の幾つかは彼／彼女のデュアルモードフォンによってウェブページ等を介して変更又は更新されることができる。例えば、ユーザはコール転送電話番号によってデュアルモードフォンへのコールが事務所の電話にルーティングされることを可能とする。ユーザがコール機能を変更すると、セルラネットワークはその変更を反映するためにＨＬＲ内のユーザプロファイルを更新する。
【０００４】
セルラネットワークに加えて、デュアルモードフォンも企業又は事業所、空港、本屋、喫茶店等におけるローカル無線「ホットスポット」の範囲に入る。無線ホットスポットはセルラサービスが利用できないビル内にあり、又はセルラサービスエリアを重複させることがある。デュアルモードフォンが無線ホットスポットの範囲内にあるとき、デュアルモードフォンは通信アクセスを受けるために無線ＬＡＮ（ＷＬＡＮ）を介してＩＰマルチメディアサブシステム（ＩＭＳ）コアネットワークに登録する。ＩＰマルチメディアサブシステム（ＩＭＳ）コアネットワークはセルラネットワークによって提供されるコール機能と同様のコール機能を提供できる。
【０００５】
ＩＭＳネットワークは、ユーザプロファイルを記憶し、ユーザの認証及び許可を実行し、ユーザの物理位置についての情報を提供するマスターデータベースとなるホームサブスクライバサーバ（ＨＳＳ）を含む。コール転送、コールウェイティング、発呼者ＩＤ等のようなコール機能はＩＭＳネットワークにおいてアプリケーションサーバ（ＡＳ）によって提供される。ここでも、これらのコール機能のいくつかは彼／彼女のデュアルモードフォンによってウェブページ等を介して変更又は更新され、コール機能に対する変更は適当なアプリケーションサーバに記憶される。例えば、ユーザが話中コール転送の番号を変更した場合には、話中コール転送機能を提供するアプリケーションサーバはユーザに対するそれらの番号を記憶する。
【０００６】
アプリケーションサーバは必要な機能データを抽出してコール機能のロジックを送付するためにＤｉａｍｅｔｅｒＳｈインターフェイスを介してＨＳＳと通信する。ＤｉａｍｅｔｅｒＳｈインターフェイスは２つのタイプのデータ：透明性及び非透明性のデータを定義する。透明性データはアプリケーションサーバが記憶用に定義してＨＳＳに送信することができるデータである。ＨＳＳは、通常は透明性データを解釈あるいは処理しないが、アプリケーションサーバがデータを検索するまではデータを保管場所に盲目的に記憶する。非透明性データは可読なものとして明示的に定義されるが、アプリケーションサーバによっては変更できない。それはＨＳＳの役割が他のＨＳＳインターフェイス（登録又は準備）用に定義されるようにし、それゆえＨＳＳはコンテンツの知識を有する。
【０００７】
デュアルモードフォンは、アクセスがセルラネットワークを介するのか無線データネットワーク（例えば、ＩＭＳネットワーク）を介するのかにかかわらず、同様のコール機能を提供すべきである。しかし、ユーザが１以上のコール機能を変更した場合に問題が起こる。デュアルモードフォンのアクセスがセルラネットワークを介する場合には、コール機能の変更はセルラネットワーク内でなされ、ＨＬＲに記憶される。デュアルモードフォンのアクセスがＩＭＳネットワークを介する場合には、コール機能の変更はＩＭＳネットワーク内でなされ、コール機能を提供しているアプリケーションサーバ及び／又はＨＳＳに記憶される。
【０００８】
残念ながら、今のところセルラネットワーク（又は他の旧式のネットワーク）とＩＭＳネットワーク間でのコール機能の変更を同期させるための実効的なメカニズムはない。現在のところ、アプリケーションサーバはデータ更新のためにＨＬＲに照会することができるが、アプリケーションサーバとＨＬＲの間のインターフェイス（通常はＭＡＰ）はコール機能の変更を同期させるのに必要な通知を提供するには十分ではない。結果として、コール機能をユーザに提供するよう適合されたＩＭＳネットワーク内のアプリケーションサーバはセルラネットワークにおけるコール機能への変更を通知されないことになる。同様に、セルラネットワーク内のＨＬＲはＩＭＳネットワークにおけるコール機能への変更を通知されないことになる。残念ながらデュアルモードフォンのユーザはセルラネットワーク及びＩＭＳネットワークから整合したコール機能を受けることができない。
【発明の概要】
【課題を解決するための手段】
【０００９】
本発明は、旧式加入者サーバ（ＨＬＲ）に統合されているホームサブスクライバサーバ（ＨＳＳ）のようなＩＭＳ加入者サーバを用いて、ＩＭＳネットワークと旧式ネットワーク（例えば、セルラネットワーク）の間のコール機能データを同期することにおいてアシストすることによって上記及び他の関連する問題を解決する。一実施例では、デュアルモード装置のユーザがＩＭＳネットワークにおけるＩＭＳコール機能についての機能データを変更する状況を示す。アプリケーションサーバ（それはＩＭＳコール機能を提供する）はデュアルモード装置のユーザからＩＭＳコール機能についての機能データの変更を受信する。機能データの変更の一例は、ＩＭＳネットワークにおけるコール転送機能のためのコール転送電話番号を変更することである。アプリケーションサーバはＩＭＳコール機能についての機能データへの変更をＩＭＳ加入者サーバ（例えば、ＨＳＳ）に通知する。ＩＭＳ加入者サーバはアプリケーションサーバから機能データ変更の通知を受信し、ＩＭＳコール機能のための機能データの変更に基づいて旧式加入者サーバにおける旧式コール機能のための機能データを更新する。旧式加入者サーバは旧式ネットワークにおいて提供された旧式コール機能のための機能データを記憶するネットワークノードである。ＩＭＳネットワークにおける機能データの変更に基づいて旧式加入者サーバを更新することによって、旧式コール機能のための機能データはＩＭＳコール機能のための機能データと同期される。デュアルモード装置のユーザがその後旧式ネットワークを介して通信アクセスを受信する場合には、旧式ネットワークは好適にもＩＭＳネットワークと同様の態様でコール機能をユーザに提供できる。
【００１０】
他の実施例では、デュアルモード装置のユーザが旧式ネットワークにおける旧式コール機能への変更を受信する状況を示す。旧式加入者サーバは旧式コール機能のための機能データへの変更を受信する。旧式加入者サーバがＩＭＳ加入者サーバに統合されるのに伴い、ＩＭＳ加入者サーバは旧式加入者サーバにおける旧式コール機能のための機能データへの変更を識別する。変更を識別するのに応じて、ＩＭＳ加入者サーバはＩＭＳネットワーク内の１以上のアプリケーションサーバに旧式コール機能のための機能データへの変更を通知する。そして、アプリケーションサーバはＩＭＳ加入者サーバからの通知に基づいてＩＭＳコール機能のための機能データを更新することができる。旧式ネットワークにおける機能データの変更に基づいてＩＭＳ加入者サーバを更新することによって、ＩＭＳコール機能のための機能データは旧式コール機能のための機能データと同期される。デュアルモード装置のユーザがその後ＩＭＳネットワークを介して通信アクセスを受信する場合には、ＩＭＳネットワークは好適にも旧式ネットワークと同様の態様でコール機能をユーザに提供できる。
【００１１】
本発明は以下に記載する他の例示的実施例も含む。
図面において同じ符号は同じ構成要素又は同じタイプの構成要素を表す。
【図面の簡単な説明】
【００１２】
【図１】図１は本発明の例示的実施例における通信ネットワークを示す。
【図２】図２は本発明の例示的実施例におけるコール機能のための機能データを同期する方法を示すフローチャートである。
【図３】図３は本発明の例示的実施例におけるコール機能のための機能データを同期する他の方法を示すフローチャートである。
【図４】図４は本発明の例示的実施例における他の通信ネットワークを示す。
【図５】図５は本発明の例示的実施例において、どのようにしてアプリケーションサーバが機能データ変更を利用するかを示すメッセージ図である。
【図６】図６は本発明の例示的実施例においてＩＭＳネットワークにおけるコール機能変更についてＩＭＳネットワークとセルラネットワークの間で同期する構成を示すメッセージ図である。
【図７】図７は本発明の例示的実施例においてセルラネットワークにおけるコール機能変更についてＩＭＳネットワークとセルラネットワークの間で同期する構成を示すメッセージ図である。
【発明を実施するための形態】
【００１３】
図１−７及び以降の説明は、本発明をどのように構成及び利用するかを当業者に教示するために発明の具体的な例示的実施例を示すものである。本発明の原理を教示する目的のために、発明のいくつかの従来的な側面は簡略化又は省略されている。当業者であれば本発明の範囲に入ることになる種々の形態の実施例を想到できる。当業者であれば本発明の多数の変形例を形成するために以下に記載する構成が種々の態様で結合できることが分かるはずである。結果として、本発明は以下に記載する具体的な実施例に限定されず、特許請求の範囲及びそれらの均等のものによってのみ限定される。
【００１４】
図１に本発明の例示的実施例における通信ネットワーク１００を示す。通信ネットワーク１００はＩＭＳネットワーク１１０及び旧式ネットワーク１２０を含む。サービスエリアは分離又は重複するので、ネットワークを示すネットワークの雲はネットワークの実際のサービスエリアを示すために使用されているのではない。ＩＭＳネットワーク１１０及び旧式ネットワーク１２０は独立したネットワークであるが、両ネットワーク１１０及び１２０は共通のサービスプロバイダによって管理又は所有され得る。
【００１５】
ＩＭＳネットワーク１１０及び旧式ネットワーク１２０はともに通信サービスをデュアルモード装置１３０に提供するように適合されている。デュアルモード装置１３０はＩＭＳネットワーク及び旧式ネットワーク双方と通信するよう適合されたあらゆるタイプの通信装置からなる。デュアルモード装置１３０は無線装置、有線装置、又はその２つの組合せであればよい。ＩＭＳネットワーク１１０及び旧式ネットワーク１２０はまた、コール機能をデュアルモード装置１３０に提供するように適合される。コール機能はＩＭＳネットワーク１１０及び／又は旧式ネットワーク１２０によって提供される幾つかのタイプの特定のサービスからなる。コール機能の例として、無条件コール転送、話中コール転送、無応答時コール転送、不達時コール転送、デフォルトコール転送、発呼番号識別表示、発呼番号識別制限、発呼名表示、コールウェイティング、全入着呼の禁止、入着遠慮（do not disturb）等がある。
【００１６】
コール機能は通常、特定のユーザに関連する機能データを有する。例えば、無条件コール転送機能はコール転送のための電話番号、有効化／無効化表示のような機能データを含む。機能データは通常、ユーザによって変更可能又はユーザによって更新可能であり、これはユーザが彼／彼女のデュアルモード装置を介して、ウェブページを介して、又は他の手段を介して機能データを変更できることを意味する。一例として、デュアルモード装置１３０のユーザがコール転送電話番号を変更したい場合には、そのユーザはコール転送電話番号を変更するためにデュアルモード装置１３０を介して新たなコール転送電話番号及びインストラクション（機能コード）を入力することができる。
【００１７】
ＩＭＳネットワーク１１０は１以上のアプリケーションサーバ１１２−１１４及びＩＭＳ加入者サーバ１１６を含む。アプリケーションサーバ１１２−１１４はコール機能をデュアルモード装置１３０に提供するよう各々適合されている。コール機能を提供するにあたり、アプリケーションサーバ１１２−１１４は、コール機能に関連する機能データを記憶、アクセス、又はそうでない場合には処理する必要がある。ＩＭＳ加入者サーバ１１６は、ＩＭＳネットワーク１１０におけるコール又はセッションに関係する情報を記憶するよう適合されたあらゆるデータベース又はサーバからなる。ＩＭＳ加入者サーバ１１６の一例はホームサブスクライバサーバ（ＨＳＳ）である。ＩＭＳ加入者サーバ１１６はデュアルモード装置１３０のユーザについてのユーザプロファイルを記憶し、それはＩＭＳネットワーク１１０内のユーザによって契約された１以上のコール機能のための機能データを記憶することを含む。ＩＭＳネットワーク１１０は、デュアルモード装置１３０にサービングするように適合されたコールセッション制御機能（ＣＳＣＦ）のような他の構成要素（不図示）を含むこともできる。
【００１８】
旧式ネットワーク１２０は、コール機能を提供するよう適合されたあらゆる非ＩＭＳ移動体ネットワークからなる。旧式ネットワーク１２０の例として、ＣＤＭＡネットワーク及びＧＳＭネットワーク等がある。「旧式」とは、現に存在しているネットワークだけでなく将来開発される非ＩＭＳネットワークも意味するものとする。旧式ネットワーク１２０は旧式加入者サーバ１２２を含み、それは旧式ネットワーク１２０内のコールに関係する情報を記憶するように適合されたあらゆるデータベース又はサーバからなる。旧式加入者サーバ１２２はデュアルモード装置１３０のユーザについてのユーザプロファイルを記憶することができ、それは旧式ネットワーク１２０内のユーザによって加入される１以上のコール機能のための機能データを記憶することを含み得る。旧式加入者サーバ１２２及びＩＭＳ加入者サーバ１１６は、結合されたＨＬＲ／ＨＳＳのような統合又は共有された加入者サーバからなっていてもよい。旧式ネットワーク１２０は、移動体スイッチングセンター（ＭＳＣ）又はデュアルモード装置１３０に適合された他のスイッチングシステムのような他の構成要素（不図示）を含むこともできる。
【００１９】
デュアルモード装置１３０がＩＭＳネットワーク１１０の範囲内にある場合には、デュアルモード装置１３０はＩＭＳネットワーク１１０に登録する。デュアルモード装置１３０がＩＭＳネットワーク１１０に登録されると、コールを発信又は受信するためにデュアルモード装置１３０はＩＭＳネットワーク１１０から通信アクセスを受信する。コールがＩＭＳネットワーク１１０を介してデュアルモード装置１３０に向けて、又はそこから発信された場合、アプリケーションサーバ１１２−１１４の１以上はコール機能をデュアルモード装置１３０に提供することができる。アプリケーションサーバ１１２−１１４はまた、デュアルモード装置１３０のユーザがコール機能に関連する機能データを変更又は更新することを許可することもできる。
【００２０】
同様に、デュアルモード装置１３０が旧式ネットワーク１２０の範囲内にある場合には、デュアルモード装置１３０は旧式ネットワーク１２０に登録する。デュアルモード装置１３０が旧式ネットワーク１２０に登録されると、コールを発信又は受信するためにデュアルモード装置１３０は旧式ネットワーク１２０から通信アクセスを受信する。旧式ネットワーク１２０、即ち、より正確には旧式ネットワーク１２０内の１以上のネットワークノード（不図示）は、コールが旧式ネットワーク１２０を介してデュアルモード装置１３０に向けて又はそこから発信された場合、コール機能をデュアルモード装置１３０に提供することができる。旧式ネットワーク１２０はまた、デュアルモード装置１３０のユーザがコール機能に関連する機能データを変更又は更新することを許可することもできる。
【００２１】
ここに記載する発明の実施例によると、一方のネットワーク（例えば、ＩＭＳネットワーク１１０）内のコール機能の機能データに変更がなされた場合、他方のネットワーク（例えば、旧式ネットワーク１２０）内の対応するコール機能の機能データが自動的に同期される。ネットワーク１１０と１２０の間のコール機能の機能データを同期することによって、デュアルモード装置１３０のユーザは、通信アクセスがＩＭＳネットワーク１１０を介するか旧式ネットワーク１２０を介するかにかかわらず同じコール機能経験を有する。
【００２２】
図２は本発明の例示的実施例におけるコール機能のための機能データを同期する方法２００を示すフローチャートである。方法２００のステップは図１の通信ネットワーク１００を参照して記載される。図２のフローチャートのステップは全てを含んでいるわけではなく、図示しない他のステップも含むことができる。
【００２３】
方法２００について、デュアルモード装置１３０がＩＭＳネットワーク１１０を介した通信アクセスを有し、ＩＭＳネットワーク１１０内のアプリケーションサーバ１１２によって提供されているコール機能のための機能データを変更しているものとする。方法２００のステップ２０２において、アプリケーションサーバ１１２はＩＭＳコール機能のための機能データへの変更を受信する。前述したように、その変更はデュアルモード装置１３０から、ウェブサイトから、又は何らかの他の手段から受信され得る。機能データへの変更の一例として、ＩＭＳネットワーク１１０におけるコール転送機能のためのコール転送電話番号の変更等がある。ＩＭＳコール機能という用語はＩＭＳネットワーク１１０によって提供されているコール機能のことをいう。
【００２４】
ステップ２０４において、アプリケーションサーバ１１２はＩＭＳ加入者サーバ１１６に、ＩＭＳコール機能のための機能データへの変更を通知する。通知の例として、ＩＭＳ加入者サーバ１１６がＨＳＳからなるものとする。アプリケーションサーバとＨＳＳの間で共通的に使用される１つのインターフェイスはＤｉａｍｅｔｅｒＳｈインターフェイスである。従って、アプリケーションサーバ１１２は、ＩＭＳ加入者サーバ１１６に機能データの変更を通知するためにＳｈインターフェイス用に定義された機能を使用することができる。一実施例では、アプリケーションサーバ１１２は、ＩＭＳコール機能のための機能データへの変更を示すＳｈインターフェイス用に定義された透明性データブロックをフォーマットすることができる。透明性データブロック内に示される機能データにおける変更は単一のコール機能に対するものである。その後アプリケーションサーバ１１２は透明性データブロックをＩＭＳ加入者サーバ１１６に送信することができる。
【００２５】
ＩＭＳ加入者サーバ１１６はアプリケーションサーバ１１２から機能データ変更の通知を受信する。ステップ２０６において、ＩＭＳ加入者サーバ１１６はＩＭＳコール機能のための機能データへの変更に基づいて旧式加入者１１２における旧式コール機能のための機能データを更新する。旧式コール機能のための機能データはＩＭＳコール機能のための機能データに対応する。例えば、ＩＭＳネットワーク１１０内の変更がコール転送機能に対するものである場合には、旧式ネットワーク１２０における対応のコール転送機能が旧式加入者サーバ１１２において更新される。
【００２６】
旧式加入者サーバ１２２を更新する例として、ＩＭＳ加入者サーバ１１６はアプリケーションサーバ１１２から透明性データブロックを受信するものとする。ＩＭＳ加入者サーバ１１６（例えば、ＨＳＳ）は、ＩＭＳネットワーク１１０における機能データへの変更を識別するために透明性データブロックを解釈し、あるいは処理する。これはＨＬＲデータ範囲及び他のＨＬＲデータとの整合性確認を含むことができる。ＨＳＳは現在のところ透明性データを解釈しないので、そのような機能はＩＭＳネットワークの従来的なＨＳＳの機能から飛躍したものである。そして、ＩＭＳ加入者サーバ１１６は透明性データブロック内で識別された変更に基づいて旧式加入者サーバ１２２（例えば、ＨＬＲ）を更新する。例えば、ＩＭＳ加入者サーバ１１６は、旧式加入者サーバ１２２を更新するために、ＣＤＭＡからの機能リクエストの機能又はＵＭＴＳからの追加的なサービス更新の機能を使用することができる。ＨＳＳ及びＨＬＲが統合された場合には、そのようなメッセージ／リクエストはＨＳＳ／ＨＬＲ統合サーバについて内部的なものである。ＨＳＳ及びＨＬＲが個別のサービスの場合には、そのようなメッセージ／リクエストは標準に基づくＵＭＴＳ＿ＭＡＰメッセージ又はＡＮＳＩ−４１＿ＭＡＰメッセージであればよい。ＩＭＳ加入者サーバ１１６はまた、他のアプリケーションサーバ１１３−１１４に機能データへの変更を通知する。
【００２７】
旧式加入者サーバ１２２をＩＭＳネットワーク１１０における機能データへの変更に基づいて更新することによって、旧式コール機能のための機能データはＩＭＳコール機能のための機能データと同期される。デュアルモード装置１３０のユーザがその後旧式ネットワーク１２０を介して通信アクセスを受ける場合には、旧式ネットワーク１２０は好適にもＩＭＳネットワーク１１０と同じ態様でコール機能をユーザに提供することができる。
【００２８】
図３は本発明の例示的実施例におけるコール機能のための機能データを同期する他の方法３００を示すフローチャートである。方法３００のステップは図１の通信ネットワーク１００を参照して記載される。図３のフローチャートのステップは全てを含むものではなく、図示しない他のステップも含むことができる。
【００２９】
方法３００について、デュアルモード装置１３０は旧式ネットワーク１２０を介して通信アクセスを有し、旧式ネットワーク１２０内のネットワークノードによって提供されているコール機能のための機能データを変更しているものとする。方法３００のステップ３０２において、旧式加入者サーバ１２２は旧式コール機能のための機能データへの変更を受信する。前述したように、変更はデュアルモード装置１３０から、ウェブサイトから、又は何らかの他の手段から受信され得る。旧式コール機能という用語は旧式ネットワーク１２０によって提供されているコール機能をいうものとする。
【００３０】
ステップ３０４において、ＩＭＳ加入者サーバ１１６は旧式加入者サーバ１２２における旧式コール機能のための機能データへの変更を識別する。ＩＭＳ加入者サーバ１１６は旧式加入者サーバ１２２における更新を監視するロジック又はアプリケーションを含むことができる。代替的に、旧式加入者サーバ１２２は、旧式加入者サーバ１２２において変更が起こるとＩＭＳ加入者サーバ１１６に通知するロジック又はアプリケーションを含むことができる。
【００３１】
ステップ３０６において、ＩＭＳ加入者サーバ１１６は旧式コール機能のための機能データへの変更を１以上のアプリケーションサーバ１１２−１１４に通知する。通知の一例として、ここでもＩＭＳ加入者サーバ１１６はＨＳＳからなる。従って、ＩＭＳ加入者サーバ１１６は機能データへの変更をアプリケーションサーバ１１２−１１４に通知するためにＳｈインターフェイス用に定義された機能を使用することができる。一実施例では、ＩＭＳ加入者サーバ１１６は旧式コール機能のための機能データ及びおそらく他の旧式コール機能のための機能データへの変更を示すＳｈインターフェイス用に定義された透明性データブロックをフォーマットすることができる。その後ＩＭＳ加入者サーバ１１６は透明性データブロックをアプリケーションサーバ１１２−１１４に送信する。そして、アプリケーションサーバ１１２−１１４は旧式コール機能のための機能データへの変更を識別し、旧式コール機能のための機能データに基づいてＩＭＳコール機能のための機能データを更新するために透明性データブロックを処理することができる。アプリケーションサーバ１１２−１１４は、Ｓｈインターフェイス用に定義された機能を追加的に用いて、機能データへの変更が通知されるべきＩＭＳ加入者サーバ１１６を利用することができる。
【００３２】
旧式ネットワーク１２０内の機能データへの変更に基づいてアプリケーションサーバ１１２−１１４の１以上を更新することによって、ＩＭＳコール機能のための機能データは旧式コール機能のための機能データと同期される。デュアルモード装置１３０のユーザがその後ＩＭＳネットワーク１１０を介して通信アクセスを受信する場合には、ＩＭＳネットワーク１１０は好適にも旧式ネットワーク１２０と同様の態様でコール機能をユーザに提供することができる。
【００３３】
図４−７に本発明の例示的実施例におけるＩＭＳネットワークとセルラネットワーク間の機能データを同期する例を示す。
【００３４】
図４に本発明の例示的実施例における他の通信ネットワーク４００を示す。通信ネットワーク４００はＩＭＳネットワーク４１０及びセルラネットワーク４２０を含む。サービスエリアは分離又は重複するので、ネットワークを示すネットワークの雲はネットワークの実際のサービスエリアを示すために使用されているのではない。ＩＭＳネットワーク４１０はＣＳＣＦ４１１、複数のアプリケーションサーバ４１２−４１４、及びＨＳＳ４１６を含む。セルラネットワーク４２０は移動体スイッチングセンター（ＭＳＣ）４２１及びＨＬＲ４２２を含む。ＨＬＲはユーザプロファイルを記憶するために使用されるデータベースとしてセルラネットワークにおいては周知である。同様に、ＨＳＳはユーザプロファイルを記憶するために使用されるデータベースとしてＩＭＳネットワークにおいて周知である。本実施例では、ＨＬＲ４２２及びＨＳＳ４１６は統合又は結合されたＨＬＲ／ＨＳＳとして実施される。ＨＬＲ４２２及びＨＳＳ４１６は物理的に結合されたユニットであってもよいし、それらのデータを同期させる単一のユニットに見えるような複数のユニットからなっていてもよい。
【００３５】
ＩＭＳネットワーク４１０及び旧式ネットワーク４２０はともにデュアルモード装置４３０に通信サービスを提供するように適合される。ＩＭＳネットワーク４１０では、ＣＳＣＦ４１１はＩＭＳネットワーク４１０を介して通信アクセスを提供するためにデュアルモード装置４３０にサービングする。アプリケーションサーバ４１２−４１４は、コール転送、コールウェイティング等、デュアルモード装置４３０についてのＩＭＳネットワーク４１０におけるコール機能を提供する。ＨＳＳ４１６は、他のコールに関する又はセッションに関するデータに加えて、ＩＭＳネットワーク４１０によって提供されるコール機能のためにＨＬＲ４２２に記憶された機能データの召喚を可能とする。ＩＭＳネットワーク４１０では、アプリケーションサーバ４１２−４１４はＨＳＳ４１６とＤｉａｍｅｔｅｒＳｈインターフェイスを介して通信する。
【００３６】
セルラネットワーク４２０では、ＭＳＣ４２１はセルラネットワーク４２０を介して通信アクセスを提供するためにデュアルモード装置４３０にサービングする。ＨＬＲ４２２は他のコールに関するデータに加えてセルラネットワーク４２０によって提供されるコール機能のための機能データを記憶する。
【００３７】
図４のアプリケーションサーバ４１２−４１４はＩＭＳネットワーク４１０に対してコール機能を提供する。機能データをセルラネットワーク４２０と同期させるために、アプリケーションサーバ４１２−４１４は最初にＨＳＳ４１６を利用して機能データの更新を受信する。図５は本発明の例示的実施例においてどのようにしてアプリケーションサーバ４１２−４１４が機能データの変更を利用するかを示すメッセージ図である。
【００３８】
図５の開始にあたり、アプリケーションサーバ４１２はSubscribe Notify Request（ＳＮＲ）メッセージを、特定の単一のコール機能又は複数のコール機能のための機能データへの変更が通知されることをリクエストしているＨＳＳ４１６に送信する。その後ＨＳＳ４１６はアプリケーションサーバ４１２にSubscribe Notify Answer（ＳＮＡ）で応答する。その後アプリケーションサーバ４１２は機能データ及び他のコールに関するデータをローカルキャッシュに読み込むためにUser Data Request（ＵＤＲ）をＨＳＳ４１６に送信する。ＵＤＲに応じて、ＨＳＳ４１６はＵＤＡメッセージを機能データ及び他のコールに関するデータを含むアプリケーションサーバ４１２に送信する。このメッセージシーケンスでは、予め定義された透明性データはＵＤＲのUser-Data-AVPに含まれる。機能要素が変更されたときにＳＮＲはＰＮＲ通知が後に続くことを可能とする。
【００３９】
この時点で、デュアルモード装置４３０はＩＭＳネットワーク４１０を介してコール又はセッションを開始しているものとする。また、デュアルモード装置４３０のユーザは話中コール転送機能を無効化したいものとする。図６は、本発明の例示的実施例においてＩＭＳネットワーク４１０におけるコール機能変更についてＩＭＳネットワーク４１０とセルラネットワーク４２０間で機能データを同期することを示すメッセージ図である。
【００４０】
図６の開始にあたり、アプリケーションサーバ４１２はＩＭＳネットワーク４１０において話中コール転送機能を提供する（図４も参照）。従って、アプリケーションサーバ４１２は話中コール転送機能を無効化するためにデュアルモード装置４３０からインストラクションを受信する。インストラクションに応答して、アプリケーションサーバ４１２は、キャッシュに入っていない場合にＵＤＲをＨＳＳ４１６に送信して機能データを検索する。ＨＳＳ４１６は機能データを含むＵＤＡで応答する。その後アプリケーションサーバ４１２は機能データへの変更があるかを判断するためにインストラクションに基づいて機能データを処理する。変更がなされた場合には、アプリケーションサーバ４１２はＨＳＳ４１６及びＨＬＲ４２２における機能データが更新される必要があると判断する。
【００４１】
機能データを更新するために、アプリケーションサーバ４１２は話中コール転送機能のための機能データへの変更を示す透明性データブロックをフォーマットする。その後アプリケーションサーバ４１２は透明性データブロックを含むPush Update Request（ＰＵＲ）をＨＳＳ４１６に送信する。ＨＳＳ４１６はリクエストされた変更がＨＬＲ４２２の規則内で受入れ可能であることを、成功又は失敗を示す前に承認する。ＨＳＳ４１６はまた、成功又は失敗をPush Update Answer（ＰＵＡ）でアプリケーションサーバ４１２に応答する。
【００４２】
ＨＳＳ４１６はＰＵＲ内の透明性データブロックを解釈して話中コール転送機能のための機能データへの変更と識別する。ここでも、この機能はＩＭＳネットワークの従来のＨＳＳの機能からは飛躍したものである（ＨＳＳは透明性データを解釈しないので）。その後ＨＳＳ４１６はＨＬＲ４２２を更新する規則に従って機能データを承認する。そのような更新が許可される場合には、ＨＳＳ４１６は透明性データブロックにおいて提供された機能データへの変更に基づいてＨＬＲ４２２を更新する。
【００４３】
機能データへの変更に応じて、ＨＬＲ４２２はＭＳＣ４１２に記憶されている機能データを更新することができる。例えば、ＨＬＲ４２２はQualDirメッセージ又はInsertSubscriberDataメッセージをＭＳＣ４２１に送信して機能データへの変更を示す。
【００４４】
図６に示していないが、ＨＳＳ４１６はまた他のアプリケーションサーバ４１３−４１４に機能データへの変更を通知することができる。例えば、アプリケーションサーバ４１３が機能データへの変更が通知されるべきＨＳＳ４１６を利用した場合には、ＨＳＳ４１６は１以上のコール機能のための機能データを含む透明性データブロックを更新又はフォーマットする。透明性データブロックはコール機能の全てについて、コール機能のサブセットについて、又は単一のコール機能について定義されることができる。その後ＨＳＳ４１６は透明性データブロックを含むPush Notification Request（ＰＮＲ）をアプリケーションサーバ４１３に送信する。その後アプリケーションサーバ４１３は透明性データブロックを処理して機能データへの変更を識別し、その変更に基づいて機能データを更新することができる。
【００４５】
図６はＩＭＳネットワーク４１０を介してなされたコール機能への変更を示すが、変更はまたセルラネットワーク４２０を介してもなされ得る。ここで、デュアルモード装置４３０のユーザは話中コール転送機能を有効化したいものとするが、今回はセルラネットワーク４２０を介するものとする。図７は、本発明の例示的実施例におけるセルラネットワーク４２０でのコール機能の変更のためにＩＭＳネットワーク４１０とセルラネットワーク４２０間で機能データを同期することを示すメッセージ図である。
【００４６】
図７の開始にあたり、ＭＳＣ４２１は話中コール転送機能を有効化するためのインストラクションをデュアルモード装置４３０から受信する。インストラクションに応答して、ＭＳＣ４２１はFeature Request（ＦｅａｔＲｅｑ）メッセージ又はSupplementary Service Activate（ＳＳＡｃｔｉｖａｔｅ）メッセージをＨＬＲ４２２に送信して変更を示す。ＨＬＲ４２２はFeature Request Return Result（ｆｅａｔｒｅｑＲＲ）メッセージ又はSupplementary Service Activate（ＳＳＡｃｔｉｖａｔｅ）応答メッセージでＭＳＣ４２１に応答する。ＨＬＲ４２２はまたQualDirメッセージ又はInsertSubscriberメッセージをＭＳＣ４２１に送信し機能データへの変更を示す。
【００４７】
その後ＨＳＳ４１６はＨＬＲ４２２における話中コール転送機能のための機能データへの変更を識別する。ＨＳＳ４１６はＨＬＲ４２２内の更新を監視するロジック又はアプリケーションを含むことができる。代替的に、ＨＬＲ４２２はＨＬＲ４２２内でいつ更新が発生したかをＨＳＳ４１６に通知するロジック又はアプリケーションを含むことができる。機能データへの変更を識別することに応じて、ＨＳＳ４１６は１以上のコール機能のための機能データを含む透明性データブロックを更新又はフォーマットする。前述したように、透明性データブロックはコール機能の全てについて、コール機能のサブセットについて、又は単一のコール機能について定義されることができる。
【００４８】
その後ＨＳＳ４１６はどのアプリケーションサーバ４１２−４１４が透明性データブロックへの変更を通知されるために契約されたかを判断する。アプリケーションサーバ４１２がそのような契約を有するものとする。そして、ＨＳＳ４１６は透明性データブロックを含むＰＮＲをアプリケーションサーバ４１２に送信する。そしてアプリケーションサーバ４１２は、透明性データブロックを処理して機能データへの変更を識別し、その変更に基づいて機能データを更新することができる。アプリケーションサーバ４１２はまた、ＨＳＳ４１６にＰＮＡで応答する。
【００４９】
Ｓｈインターフェイスの透明性データ機能を用いて、ＨＳＳ４１６は好適にもＩＭＳネットワーク４１０内の機能データへの変更を識別し、機能データの変更に基づいてＨＬＲ４２２を更新することができる。また、ＨＳＳ４１６はセルラネットワーク４２０内の機能データへの変更を識別し、機能データの変更に基づいて（必要であれば）アプリケーションサーバ４１２−４１４を更新することができる。従って、機能データはＩＭＳネットワーク４１０とセルラネットワーク４２０との間で同期され、ネットワーク４１０及び４２０がデュアルモード装置４３０への整合したコール機能を提供することが可能となる。
【００５０】
特定の実施例がここに記載されたが、本発明の範囲はこれらの特定の実施例に限定されない。発明の範囲は以降の特許請求の範囲及びその均等のものによって定められる。
【図１】
2010512111.tif 000003
【図２】
2010512111.tif 000004
【図３】
2010512111.tif 000005
【図４】
2010512111.tif 000006
【図５】
2010512111.tif 000007
【図６】
2010512111.tif 000008
【図７】
2010512111.tif 000009
【手続補正書】
【提出日】平成21年8月11日(2009.8.11)
【手続補正１】
【補正対象書類名】特許請求の範囲
【補正対象項目名】全文
【補正方法】変更
【補正の内容】
【特許請求の範囲】
【請求項１】
通信ネットワーク（１００）であって、
デュアルモード装置（１３０）が旧式ネットワーク（１２０）を介して通信アクセスを受信するときに該デュアルモード装置（１３０）に提供されている旧式コール機能のための機能データを識別するように適合された旧式ネットワーク（１２０）の旧式加入者サーバ（１２２）、
該デュアルモード装置（１３０）がＩＭＳネットワーク（１１０）を介して通信アクセスを受信するときに、該デュアルモード装置（１３０）にＩＭＳコール機能を提供するように適合されたＩＭＳネットワーク（１１０）のアプリケーションサーバ（１１２、１１３又は１１４）、及び
該ＩＭＳネットワーク（１１０）によって該デュアルモード装置（１３０）に提供されているＩＭＳコール機能のための機能データを記憶するように適合されたＩＭＳ加入者サーバ（１１６）
からなり、該通信ネットワーク（１００）が、
該アプリケーションサーバ（１１２、１１３又は１１４）がさらに、該ＩＭＳコール機能のための機能データへの変更をデュアルモード装置（１３０）のユーザから受信するように適合され、
該アプリケーションサーバ（１１２、１１３又は１１４）がさらに、該ＩＭＳコール機能のための機能データへの該変更を示すＤｉａｍｅｔｅｒＳｈインターフェイス用に定義された透明性データブロックをフォーマットするように適合され、
該アプリケーションサーバ（１１２、１１３又は１１４）がさらに、該透明性データブロックを該ＩＭＳ加入者サーバ（１１６）に送信するように適合され、
該ＩＭＳ加入者サーバ（１１６）がさらに、該透明性データブロックを解釈して該ＩＭＳコール機能のための機能データへの該変更を識別するように適合され、
該ＩＭＳ加入者サーバ（１１６）がさらに、該旧式加入者サーバ（１２２）のための規則に基づいて該機能データへの該変更を承認するように適合され、及び
該ＩＭＳ加入者サーバ（１１６）がさらに、該透明性ブロックにおいて提供された該ＩＭＳコール機能のための機能データに基づいて該旧式加入者サーバ（１２２）内の該旧式コール機能のための機能データを更新して、該旧式コール機能のための機能データを該ＩＭＳコール機能のための機能データに同期させるように適合された
ことを特徴とする通信ネットワーク。
【請求項２】
請求項１の通信ネットワーク（１００）において、
該旧式加入者サーバ（１２２）がさらに、該旧式ネットワーク（１２０）によって該デュアルモード装置（１３０）に提供されている旧式コール機能のための機能データへの変更を受信するように適合され、
該ＩＭＳ加入者サーバ（１１６）がさらに、該旧式加入者サーバ（１２２）における該旧式コール機能のための機能データへの該変更を識別するように適合され、及び
該ＩＭＳ加入者サーバ（１１６）がさらに、該ＩＭＳコール機能のための該機能データを該旧式コール機能のための該機能データに同期させるために該旧式コール機能のための機能データへの該変更を該アプリケーションサーバ（１１２、１１３又は１１４）に通知するように適合された通信ネットワーク。
【請求項３】
請求項２の通信ネットワーク（１００）において、
該アプリケーションサーバ（１１２、１１３又は１１４）がさらに、該機能データへの変更を通知されることをリクエストする契約リクエストをＩＭＳ加入者サーバ（１１６）に送信するように適合された通信ネットワーク。
【請求項４】
請求項２の通信ネットワーク（１００）において、
該ＩＭＳ加入者サーバ（１１６）がさらに、該機能データへの該変更を識別することに応じて該機能データへの該変更を示すＤｉａｍｅｔｅｒＳｈインターフェイス用に定義された透明性データブロックをフォーマットするよう適合され、
該ＩＭＳ加入者サーバ（１１６）がさらに、該透明性データブロックを該アプリケーションサーバ（１１２、１１３又は１１４）に送信するように適合され、
該アプリケーションサーバ（１１２、１１３又は１１４）がさらに、該透明性データブロックを処理して該旧式コール機能のための機能データへの該変更を識別するように適合され、
該アプリケーションサーバ（１１２、１１３又は１１４）がさらに、該旧式コール機能のための機能データに基づいて該ＩＭＳコール機能のための機能データを更新するように適合された通信ネットワーク。
【請求項５】
通信ネットワークを動作させる方法において、該通信ネットワークが、ＩＭＳコール機能をデュアルモード装置に提供するよう適合されたＩＭＳネットワークを含み、及び旧式コール機能を該デュアルモード装置に提供するように適合された旧式ネットワークを含み、該方法が、
該ＩＭＳネットワークのアプリケーションサーバにおいて、該ＩＭＳコール機能のための機能データへの変更をデュアルモード装置のユーザから受信するステップ、
該アプリケーションサーバにおいて、該ＩＭＳコール機能のための機能データへの該変更を示すＤｉａｍｅｔｅｒＳｈインターフェイス用に定義された透明性データブロックをフォーマットするステップ、
該透明性データブロックを該アプリケーションサーバから該ＩＭＳ加入者サーバに送信するステップ、
該ＩＭＳ加入者サーバにおいて、該ＩＭＳコール機能のための機能データへの該変更を識別するために該透明性データブロックを解釈するステップ、
該旧式加入者サーバのための規則に基づいて該機能データへの該変更を承認するステップ、
該透明性データブロック内に提供される該ＩＭＳコール機能のための機能データに基づいて該旧式コール機能のための機能データを更新するステップ、
該ＩＭＳ加入者サーバによって、該旧式コール機能のための機能データを該ＩＭＳコール機能のための機能データに同期させるために該透明性データブロックにおいて提供された機能データへの該変更に基づいて旧式加入者サーバ内の該旧式コール機能のための機能データを更新するステップ
からなる方法。
【請求項６】
請求項５の方法であって、さらに、
該デュアルモード装置のユーザから該旧式加入者サーバにおける旧式コール機能のための機能データへの変更を受信するステップ、
該ＩＭＳ加入者サーバによって、該旧式加入者サーバにおける旧式コール機能のための機能データへの該変更を識別するステップ、及び
該ＩＭＳコール機能のための該機能データを該旧式コール機能のための該機能データに同期させるために該旧式コール機能のための機能データへの該変更を該アプリケーションサーバに通知するステップ
からなる方法。
【請求項７】
請求項６の方法において、該アプリケーションサーバに通知するステップがさらに、
該機能データへの該変更を示すＤｉａｍｅｔｅｒＳｈインターフェイス用に定義された透明性データブロックをフォーマットするステップ、
該透明性データブロックを該ＩＭＳ加入者サーバから該アプリケーションサーバに送信するステップ、
該アプリケーションサーバにおいて、該機能データへの該変更を識別するために該透明性データブロックを処理するステップ、及び
該透明性データブロックにおいて提供された該旧式コール機能のための機能データへの該変更に基づいて該ＩＭＳコール機能のための機能データを更新するステップ
からなる方法。
【国際調査報告】
2010512111.tif 000010
2010512111.tif 000011
2010512111.tif 000012